(57)【特許請求の範囲】
【請求項１】
浴槽本体と、前記浴槽本体を当該浴槽本体底部中央近傍で揺動可能に係止する係止部と前記浴槽本体を入浴状態位置に位置決め規制可能な位置決め部とを備える基部とを備える介護浴槽であって、
前記浴槽本体内に入浴者を収納した状態で前記浴槽本体を前記係止部を支点として前後に重量バランスをとるバランス機構部を備えて微力での前記浴槽本体の揺動を可能とし、
前記基部の係止部は、先端部近傍に前記浴槽本体底部を揺動可能に軸支する軸受け孔部が配設された浴槽軸支部材を前記浴槽本体底部両側面近傍に立設してなり、前記基部の位置決め部は頂部が前記浴槽本体の揺動時に前記浴槽本体の頭部位置を入浴状態位置で係止位置まで立設してなることを特徴とする介護浴槽。
【請求項２】
前記バランス機構部は、少なくとも２本のスプリング部材を含み、前記スプリング部材の一方端部を前記浴槽本体底部の前記係止部より離間した前後底部に係止し、各スプリング部材の他端部をまとめて前記基部のまとめ位置に係止することを特徴とする請求項１記載の介護浴槽。
【請求項３】
前記バランス機構部のまとめ位置は入浴者の体重により移動可能とすることを特徴とする請求項２記載の介護浴槽。
【請求項４】
前記浴槽本体の入浴者収納時の足位置に入浴者の体重を測定する体重計を備え、
前記入浴者の体重に従って前記まとめ位置を調整可能とすることを特徴とする請求項３記載の介護浴槽。
【請求項５】
前記浴槽内側面に吸盤部で固定して入浴者を浴槽内に保持するための固定ベルト部材と、
前記浴槽上部間に架け渡された入浴者がつかまるためのつかまり棒とを係止可能とすることを特徴とする請求項１乃至請求項４のいずれかに記載の介護浴槽。
【請求項６】
前記浴槽本体頭部端には前記位置決め部に固定可能なロック機構が配設されていることを特徴とする請求項１乃至請求項５のいずれかに記載の介護浴槽。
【発明の詳細な説明】
【０００１】
【発明の属する技術分野】
本発明は、高齢者や障害者を入力させることができる介護浴槽に関するものである。
【０００２】
【従来の技術】
従来の介護浴槽は、例えば特開２００１−２６９３８４号のように、浴槽本体の上部に昇降式の吊り床を設け、入浴者を吊り上げた吊り床上に寝かせ、その後に吊り床を浴槽本体内に降下させて湯に浸して入浴させ、その後に吊り床を浴槽本体内より吊り上げて入浴させていた。
【０００３】
又は、例えば特開２０００−２７１１８４号公報に記載された発明のように、介助椅子のまま浴槽本体に収納し、水圧で浴槽本体を傾けて、あるいはハンドルをまわして摺動ナットを回転させ、螺刻シャフトを移動させてスチールワイヤーを引っ張って浴槽本体を傾けて浴槽内に水を入れて入力させていた。
【０００４】
【発明が解決しようとする課題】
しかしながら、前者の方法では、吊り床を備えるのみならず吊り床を昇降させる機構が必要であり、構造が複雑であった。
【０００５】
また、不安定な吊り床を昇降させるため、入浴者に不安感を与えることが避けられず、昇降速度などの調整も困難であった。
【０００６】
更に、後者の方法でも浴槽本体を傾けるためには、水圧ポンプが必要であり構造も複雑であった。更に、手動で傾ける際にも、ハンドルをかなり回転させたければ浴槽を傾けられず、構造も複雑であり、傾けるまでに多くの労力を必要としていた。
【０００７】
更に、ワイヤーで浴槽を引っ張る構成であるため、水を定常的に扱う浴槽に使用すると、ワイヤーの錆等による劣化、切断の虞があった。
【０００８】
また、浴槽を傾ける機構が複雑であるため、動作速度の微調整や中断、再開が困難であり、動きが急激だったり、速度変化があったり、あるいはなかなか動かなかったりしており、入浴者に不安感を与えてしまっていた。
【０００９】
【課題を解決するための手段】
本発明は上述した課題を解決することを目的として成されたものであり、入浴者を収納した状態であっても、入浴者の状態を確認しながらわずかの力で浴槽を自己の意思通りに自在に入浴状態にすることができる介護浴槽を提供することを目的とする。そして、係る目的を達成する一手段として例えば以下の構成を備える。
【００１０】
即ち、浴槽本体と、前記浴槽本体を当該浴槽本体底部中央近傍で揺動可能に係止する係止部と前記浴槽本体を入浴状態位置に位置決め規制可能な位置決め部とを備える基部とを備える介護浴槽であって、前記浴槽本体内に入浴者を収納した状態で前記浴槽本体を前記係止部を支点として前後に重量バランスをとるバランス機構部を備えて微力での前記浴槽本体の揺動を可能とし、前記基部の係止部は、先端部近傍に前記浴槽本体底部を揺動可能に軸支する軸受け孔部が配設された浴槽軸支部材を前記浴槽本体底部両側面近傍に立設してなり、前記基部の位置決め部は頂部が前記浴槽本体の揺動時に前記浴槽本体の頭部位置を入浴状態位置で係止位置まで立設してなることを特徴とする。
【００１１】
そして例えば、前記バランス機構部は、少なくとも２本のスプリング部材を含み、前記スプリング部材の一方端部を前記浴槽本体底部の前記係止部より離間した前後底部に係止し、各スプリング部材の他端部をまとめて前記基部のまとめ位置に係止することを特徴とする。
【００１２】
また例えば、前記バランス機構部のまとめ位置は入浴者の体重により移動可能とすることを特徴とする。あるいは、前記浴槽本体の入浴者収納時の足位置に入浴者の体重を測定する体重計を備え、前記入浴者の体重に従って前記まとめ位置を調整可能とすることを特徴とする。
【００１３】
更に例えば、前記浴槽内側面に吸盤部で固定して入浴者を浴槽内に保持するための固定ベルト部材と、前記浴槽上部間に架け渡された入浴者がつかまるためのつかまり棒とを係止可能とすることを特徴とする。
【００１４】
また例えば、前記浴槽本体頭部端には前記位置決め部に固定可能なロック機構が配設されていることを特徴とする。
【００１５】
【発明の実施の形態】
以下に、本発明に係る一発明の実施の形態例について添付図面を参照して詳細に説明する。
【００１６】
本実施の形態例の介護浴槽は、浴槽の中心を揺動支点として揺動し、かつ浴槽内に入浴者が入った場合でも前後の平衡バランスを保つようにバランス機構部が備えられており、浴槽を例えば片手であっても容易にかつ円滑に揺動させるここができる。
【００１７】
即ち、本実施の形態例の浴槽は、入浴者が入浴姿勢で「弥次郎兵衛」のように浴槽底部中心近傍を支点として、前後に重量バランスを取っており、動力、水圧、電力も使用せずに手軽に介護する方が前部又は後部に手を添えて僅かな力を加えることにより入浴状態位置に揺動、あるいは入浴後であれば浴槽を傾斜状態に揺動させることができる。
【００１８】
図１は本発明に係る一実施の形態例の介護浴槽の斜視図、図２は本実施の形態例の介護浴槽の正面斜視図、図３は本実施の形態例の浴槽本体の上面図である。
【００１９】
以下図１乃至図３を参照して本発明に係る一発明の実施の形態例を詳細に説明する。
【００２０】
図において、１００は浴槽本体２００を揺動可能に係止する基部（脚部）、２００は浴槽本体、３１０、３２０は浴槽本体２００の重量バランスを取るためのオイルスプリングである。なお、オイルスプリングに限らず、ガススプリングであっても、あるいはばね部材などの弾性部材で構成したスプリングであっても良い。スプリングは液密に構成することにより耐用性が向上する。
【００２１】
オイルスプリング３１０、３２０は、一方端部が浴槽本体２００の上半身収納部２０４の底部位置と脚部収納部２０３の底部位置に係止され、他方端部がまとめて後述するスプリング係止板３３５に係止されている。
【００２２】
３３０は中央部近傍にオイルスプリング３１０、３２０をまとめて係止するスプリング係止板３３５が固着されている基部１００に前後に摺動可能に係止されている摺動バーである。
【００２３】
３５０は調整ハンドル、３５１は調整ハンドル３５０に連結されている調整軸であり、調整軸３５１が回転することにより調整軸３５１に螺合されているシリンダ軸３６５がスプリング３６０のスプリング力に抗して図２の矢印方向に移動し、シリンダ軸３６５の端部に固着されている摺動バー３３０を摺動させる。
【００２４】
摺動バー３３０が摺動すると、スプリング係止板３３５位置が移動し、オイルスプリング３１０、３２０のまとめ位置が変更となり、オイルスプリング３１０、３２０の応力を変更することができる。本実施の形態例では、シリンダ軸３６５に入浴者の体重に対応したスプリング係止板３３５位置決め位置を図２に示すように体重表示で表しており、入浴者の体重に対応したシリンダ位置となるようにハンドル３５０を回転させればよい。
【００２５】
４００は浴槽内の入浴湯を排出する配水管であり、途中に排水栓４１０が設けられている。排水栓４１０の開閉はレバー４１１の操作により行う。
【００２６】
また、５００は入浴者が入浴状態の時に手でつかまるためのつかまり棒である安全ソフトバーである。例えば高齢者になればなるほど人間の体は前かがみとなり、丸みを帯びてくる。このような状態の入浴者は体の前につかまるソフトバー５００があることにより、手でつかんだ状態がちょうど母親の胎内にいる状態に近似した態勢となるため、一番安心できる体勢が無理なく取れるようになっている。
【００２７】
なお、このソフトバー５００の取っ手位置には弾性力で外方に突出可能なロックピンが配設されており、取っ手２６５のソフトバー位置に配設された孔部内にこのロックピンが嵌入されることによりソフトバー５００が図１又は図２位置に係止される。
【００２８】
ソフトバー５００を取り外す場合にはロックピンをバー内に引っ込めてロックを外して引き抜ける。このソフトバーは、非使用時には浴槽本体側面に配設された筒状に成形されているソフトバー収納ケース２６２内に収納することが望ましい。
【００２９】
また、６１０はデジタル体重計であり、浴槽本体２００の足置き部２０３部分と連動して入浴者が入浴するためにこの足置き部２０３に乗ると自動的に体重測定が行われ、租規定体重が体重表示部６５０にデジタル表示される。このため介助者はこの体重計６１０の測定体重を参考として調整ハンドル３５０をまわしてシリンダ軸３６５を摺動させ、体重ごとにバランスの取れる位置が表示されているメモリを測定体重に合せる。
【００３０】
なお、この体重計を備えていなくても、予め入浴者の体重が判明している場合には、スプリング移動ハンドル３５０をまわしてシリンダ軸３６５位置調整を行えば、浴槽本体のバランスが取れる。
【００３１】
上記した基部１００は、主にパイプ部材を整形して組み立てられている。底部フレームを形成するＵ字型部材１１０の底面側４箇所にアジャスターフット付のキャスタが配設されており、楽に移動できるようになっている。
浴槽内の床面はほとんど水の排水を考慮して作られているため、床面が水平ではなく、このアジャスターフットを供えることにより浴槽の水平を保つことが可能に構成されている。
なお、本実施の形態例ではアジャスターフットの設置底面に強化ゴムを配設して介護浴槽が床面を滑ることを防止しているため、安全性が確保されている。
【００３２】
Ｕ字型部材１１０のＵ字型頭部側には浴槽本体２００の頂部２０１を位置決め固定するための立設部材１２０が溶接などにより固着されており、頂部に浴槽本体２００の安全ロック機構２１０を係止し、ロック状態を維持可能な受け機構１２５が設けられている。
【００３３】
また、１３０はＵ字型部材１１０の補強部材であり、両側面のパイ部材に例えば溶接などにより固着されている。１４０はＵ字型部材１１０の両側面パイプに溶接などで立設されている浴槽軸支部材であり、先端部近傍には浴槽本体２００を揺動自在に軸支するための軸１６０を軸支するための軸受け部を備えている。
【００３４】
この浴槽軸支部材１４０の固着位置は、浴槽本体２００を入浴状態としたときに、頭部２０１がちょうど立設部材１２０頂部に当接する位置とする。
【００３５】
補強部材１３０には調整ハンドル３５０の回転に従って図２の矢印方向に摺動するシリンダ軸３６５の一方端がスプリング３５１を介して螺合されており、調整ハンドル３５０の回転に従ってこのシリンダ軸３６５が伸縮し、シリンダ軸３６５の他方端が接続されている摺動バー３３０が摺動し、摺動バー３３０に固着されているスプリング係止板３３５の位置が変化する。
【００３６】
スプリング係止板３３５の位置が図２の右側方向に移動するとオイルスプリング３２０のスプリング力が高められ、オイルスプリング３１０のスプリング力が下がる。
【００３７】
一方、摺動バー３３０を図２の左側方向に移動するとオイルスプリング３１０のスプリング力が高められ、オイルスプリング３２０のスプリング力が下がる。
【００３８】
従って摺動バー３３０の位置をうまく調整すれば、浴槽本体２００の左右のバランス力を調整することができ、入浴者の体重にかかわらず「弥次郎兵衛」のように軸１６０を軸支する軸受け部２３０を支点として、前後に重量バランスを取ることができる。
【００３９】
このように本実施の形態例では、動力、水圧、電力などを何ら使用せずに、手軽に介護する方が前部又は後部に手を添えて僅かな力を加えることにより入浴状態位置に揺動、あるいは入浴後であれば浴槽を傾斜状態に揺動させることができる。
【００４０】
本実施の形態例では、浴槽本体２００は、足置き部２０３部分に比し底部中央部２７０が浅くなり上半身部分が再び深く形成しており、傾けた時にちょうど浴槽内に腰掛けることができるように浴槽内部が腰掛け状に形成されている。なお、中央部２７０の中間部は切欠状態に形成されており、例えば入浴者の陰部を洗い易くなっており、入浴者の清潔性を維持できるように構成されている。
【００４１】
そして、足置き部２０３側の後部側面に体重計６１０を取り付けている。このため、入浴時には図１のように傾けた状態としておき、この浴槽本体を傾けた状態で入浴者が足置き部２０３に足をおいて立たせ、体重計６１０により体重を測れるように構成すると共に、その後速やかに浴槽内に腰掛けることができるようになっている。
【００４２】
このように入浴者は無理な体勢を取ることなく浴槽内に入ることができ楽な状態で入浴に備えることができる。なお、２６１はシャワーフックである。
【００４３】
図３の７０１、７０２は基部に吸盤が設けられ先端近傍にマジックファスナーが設けられたシートベルトであり、入浴者が浴槽内で浮かび上がるなどの不安定な位置になることを防止する。
【００４４】
本実施の形態例のシートベルト７０１、７０２は吸盤で浴槽内に固定する構造であるため、入浴者に合せて製作した物を採用し、入浴の都度入浴者に合った物を選択して浴槽に取り付けている。
そして、シートベルト７０１、７０２の入浴者の肌に直接触れるマジックファスナーの裏面側にはウエットスーツなどに用いられているゴムスキンを使用して入浴者の体表面に接触した状態でもソフトですれることのない構造としている。
【００４５】
このように不使用時には取り外すことができ、浴槽内の清掃の邪魔となることがない。同時に、吸盤で吸着させる位置を自由に設定できるため、入浴者の体型に合せて最適な部分にシートベルトをかけることができる。
【００４６】
本実施の形態例の足置き部２０３は、滑り止め機能を有しており、入浴者が浴槽内に入る際に足を置く部分に取り付けられる。同じく入浴時に頭となる浴槽の頭部部分には枕２０５が取り付けられている。
【００４７】
足置き部２０３と枕２０５とは、共に浴槽内に吸着された状態とすることで取り付けられており、端部を持ってはがすことにより自由に取り外しでき、再び取り付ける場合には取り付け位置に押し付けて浴槽との間の空気を排出することにより容易に吸着させることができる。このため、浴槽の清掃などの場合には取り外し、浴槽とは別に清掃することができ、清潔に保つことが可能に構成されている。
足置き部２０３の構造は以上の吸着する例に限定されず、浴槽の足を置く部位に直接ノースリップ加工を施して足置き部２０３を構成してもよい。この場合にはいちいちはがしたりする必要がなく、またずれたりすることもないものとできる。この場合であっても、清掃の妨げとなることも少ない。
【００４８】
本実施の形態例では、浴槽本体２００の底部中間部近傍、例えば図１に示す様な腰掛部分底部に基部１００の浴槽軸支部材１４０に設けられた軸受け部間に軸着される軸１６０を貫通可能な軸受け部が形成された浴槽軸支部材２３０が形成されており、この浴槽軸支部材２３０の軸受け部に浴槽軸支部材１４０の軸受け部間に軸支される軸１６０を貫通させて軸１６０を支点として揺動可能に構成している。
この軸受け部を例えばステンレスベアリングを内蔵する構成とすることにより、一層スムーズに浴槽本体２００を揺動させることができる。
【００４９】
そして、単に揺動可能に構成するのみならず、浴槽本体２００の前後の底部とスプリング係止板３３５間にオイルスプリング（若しくはエアースプリング）３１０、３２０を配し、このオイルスプリング３１０、３２０のスプリング力を利用して入浴者を浴槽内に収納した状態で前後の重量バランスが取れるように調整可能としたため、入浴者に浴槽内に入ってもらった状態で、例えば介助者が浴槽の頭部２０１をもって水平方向に寝かせようとした場合であってもほとんど無理な力を加えることなく介助者の希望する速度で浴槽を揺動させることができる構造となっている。
【００５０】
即ち、従来のものでは、水圧を利用したシリンダなどで浴槽を揺動させる構造であるため、シリンダ内に入れる水量を自在に調整することは非常に困難であり、特に一度水平方向に倒しつつある状態から再び元に戻すことは複雑な操作が必要であり、非常な困難が伴う。
【００５１】
浴槽端部に取り付けたワイヤーを引っ張る方法であっても揺動速度、方向の制御が困難であるほか、揺動制御中はワイヤーの制御に集中しなければならず、入浴者の状態を確認しながら揺動させることなどはほとんどできなかった。
【００５２】
しかし、本実施の形態例によれば、わずかの力で揺動させることができると共に、揺動方向の制御も単に傾けたい方向に力を加えるのみでよく、介助者の意思通りの揺動制御が可能となる。
なお、取っ手２６５が設けられているため、ソフトバー５００を固定するのみでなく、浴槽を移動させるような場合に、立設部１２０を押すのみでなく、この取っ手２６５部分をもって移動できる。
【００５３】
以上の構成を備える本実施の形態例の介助浴槽を使用しての入浴時には、まず浴槽を入浴が可能な場所、例えば浴室などに移動させ、図１に示すように傾けて後部２０２側面（体重計配設面）が床面に接地する状態とする。
【００５４】
入浴者の体型などから入浴時に入浴者が使用する入浴者に合ったシートベルト７０１、７０２を選択する。そして浴槽内の最適位置に吸盤を吸着させて取り付ける。なお、既に取り付けられている場合には必要な場合のみ取り付け位置を調整するのみで足りる。
【００５５】
この状態で入浴者の体重を測定する場合には体重計６１０を体重測定モードに設定して入浴者の足を足置き部（体重計部分）に置いて立ってもらい体重測定を行う。体重測定結果はデジタル表示部６５０にデジタル表示される。
【００５６】
そしてシートベルト７０１、７０２により入浴者を浴槽内に収納した状態にすると共にソフトバー５００を取っ手２６５に固定し入浴者がつかめる状態とする。
【００５７】
同時に入浴者の体重とシリンダ軸３６５の体重表示位置が許容範囲内に調整されているか否かを調べ、再調整が必要である場合には調整ハンドル３５０をまわしてシリンダ軸３６５の体重表示位置が許容範囲内にくるようにする。
【００５８】
シリンダ軸３６５位置の調整により入浴者が浴槽内に入った状態で頭部側と足側の重量バランスが取れたいわゆる「弥次郎兵衛」状態となっているため、介助者がわずかの力を加えるのみで容易に浴槽を入浴状態位置に移行させることができる。
【００５９】
この場合であっても、揺動させる速度は力のかけ具合で自在に調整することができ、揺動方向の変転も同様に行える。このため、介助者が入浴者とコミュニケーションを取りながら浴槽を揺動させることができ、入浴者に不安感を与えるようなこともない。
【００６０】
しかも、このバランス機構も２つのオイルスプリング３１０、３２０という簡単な構造とできる。また、入浴者毎に最適バランス位置を把握しておけば、体重計がなくとも容易にバランスを取ることができる。
【００６１】
浴槽本体２００を水平方向に倒して入浴状態位置となったところで浴槽内に必要量の湯を入れる。このとき、排水栓４１０を閉接しておくことにより浴槽内に湯が溜まり入浴者を入浴させることができる。
なお、本実施の形態例では、浴槽本体２００の入浴状態位置は、浴槽が水平状態より約５度程度立った状態にしている。これは、後述する入浴中に万一お湯があふれるようなことがあっても、足先方向端部より水をあふれさせ、入浴者に恐怖感などを与えることがなく、安全に排水を行えるようにするためである。
このため、例え排水栓４１０が詰まったり排水栓４１０のレバー４１１の操作を誤ったりして排水がうまく行えないような場合であっても、足のほうから流し出すことができ、頭部に水がたまって入浴者の頭部がお湯の中に沈んだりしておぼれることがないようにしている。なお、この入浴位置は５度程度の傾きのみに限定されるものではなく、適宜選択可能である。または、入浴中の洗う部位により傾きを変えられるようにしてもよい。
入浴中は、入浴者の体を洗うと共に、お湯をある程度の割合で出し続けた状態とし、洗剤などを流しながら、あるいは頭部を洗髪している場合にはお湯ですすぐなどする。
このため、入浴中は排水栓４１０のレバー４１１を操作してある程度のお湯を流し出す状態に制御し、給湯量と排水量のバランスを取るように制御する。
なお、例え一時的に給湯量が増えるなどした場合でも、上述したように浴槽本体２００の足側がわずかに下がった状態であるため、お湯が足方向から流れ出るため、入浴者に恐怖感を与えるようなことがない。
【００６２】
入浴が終了した場合には排水栓４１０のレバー４１１を操作して排水栓４１０をより広く開き浴槽内にある湯を排出し、再び頭部２０１などを持って浴槽を傾けて入浴者を腰掛状態にする。
そしてソフトバー５００を外して収納部２６２に収納すると共に体を拭くなどしながらシートベルト７０１、７０２を取り外し足置き部２０３に立たせて浴槽外に移動してもらって入浴が終了する。
【００６３】
なお、腰掛け状態において、不図示の安全ロック機構、例えば水平方向への変位を規制して浴槽の腰掛状態位置を維持する機構を備え、入浴者と共に浴槽を水平方向にする揺動開始時にこのロック機構を解除するように構成してもよい。これにより不用意に浴槽が動くのを防止できる。
【００６４】
また、摺動シリンダ３６５を有せず、オイルスプリングを一箇所でまとめて固定した構成であってもある程度前後の重量バランスが取れた状態とすることができる。このため、完全にバランスが取れた状態に比べて多少力は必要であるが、浴槽を揺動させることができる。このため、廉価に製造しようとする場合には、体重により重量バランスを変化させるバランス調整機構を備えていない構造としても、複雑な機構を備えることなく手動で容易に浴槽を揺動させることができる。
【００６５】
以上説明したように、人間は下半身に比し上半身が重く入浴者が入ると一定方向に過重がかかつてしまうことを例えばオイルスプリング（例えば油圧式ガススプリング）を取り付けることで相殺し、入浴者が入った浴槽を「弥次郎兵衛」のように、左右常にバランスの取れた状態とする構造としたため、わずかの力で容易に揺動させることが可能となった。
【００６６】
特に誤差の少ない重量バランスを達成するために、オイルプリングが過重に対してオイル反力（ガススプリングではガス反力）が決まってしまうために入浴者の体重が大きく変わるとバランスが変化してしまう点を改善する構成を備え、オイルスプリングの接点を各人の体重に合わせ移動しセットするように構成し、必要に応じて浴槽の底の裏側にあたる部分に体重測定器を取り付けて入浴に先立って入浴者の体重を測れるようにして、この入浴者の体重を参考としてオイルスプリングによる過重の受ける位置を調整することで、オイルスプリングの接点を変え、一定の速度での過重抵抗を減少させたため、介助する方がわずかな力で浴槽を円滑に動かし操作することができる介助浴槽を提供できる。
【００６７】
更に、この場合において、より強い力を加えればそれに対して浴槽の揺動速度も比例して早くでき、きめ細かな介助者の意思の通りに操作できる介助浴槽とできる。
【００６８】
このように水圧シリンダや電気モーター、あるいはワイヤーで浴槽を引っ張って揺動させる場合のような複雑な構成が不要であるため、堅牢で使いやすく、安全性に優れ、また衛生面においても一人が入浴するごとに浴槽内のお湯を排出し、簡単かつ完全に清掃する介助浴槽とできる。
【００６９】
本実施の形態例では、浴槽内を腰掛け状に形成して中央部を浅くしたため、入浴者が入り易いのみならず、必要なお湯の量も少なくできる。例えば、浴槽に６０ｋｇの人が入った場合、約８０リットルのお湯で浴槽の約八分目まで満たすことができ、お湯の量を無理なく節約できる。
【００７０】
以上説明したように本実施の形態例によれば、入浴者に合せて浴槽の中心を支点とした前後の重量平衡バランスを取るようにしたので、どのような体重の入浴者でも僅かな力で浴槽をより円滑に動かし操作することができる。より一層力を加えればそれに対応して浴槽本体２００の揺動速度もあげることができ、揺動方向の反転も容易に行うことができる。
更に、本実施の形態例によれば、万一入浴中に浴槽内で入浴者が体調を崩すなどの緊急を要する事態となった場合であっても、浴槽のロック機構１２５を外してより一層の力を加えて浴槽本体２００を起こせば、力を加えれば加えるほど高速での揺動が可能となり、入浴者を素早く浴槽での入浴状態から保護することができる。
なお、このとき、浴槽内にたとえお湯がたまっていても、足元から素早く排出でき、入浴者が浴槽外に飛び出るようなこともなく、また浴槽内に崩れ落ちるような事もなく、素早い対応が安全に行える。
【００７１】
【発明の効果】
以上説明したように、本発明によれば、入浴者を収納した状態であっても、入浴者の状態を確認しながらわずかの力で浴槽を自己の意思通りに自在に入浴状態にすることができる介護浴槽を提供することができる。
【図面の簡単な説明】
【図１】本発明に係る一実施の形態例の介護浴槽の斜視図である。
【図２】本実施の形態例の介護浴槽の正面斜視図である。
【図３】本実施の形態例の浴槽本体の上面図である。
【図１】
0003572520.tif 000002
【図２】
0003572520.tif 000003
【図３】
0003572520.tif 000004